(57)【要約】【課題】面倒な手間が掛からず家庭において一束の頭髪に染液を均一な量で、あるいは均一な配合割合で付着させることができ、しかも多くの備品も必要とせず極めて安価なメッシュ用毛染め具を提供することを目的とするものである。【解決手段】一束の頭髪を帯体をらせん状に巻いて筒状に形成した内筒に収納し、染液の１液と２液とをそれぞれ別々の隔室に充填した上で上端内部に収納した外筒を内筒上にはめ込み、コイルバネを収納したフランジを有するシリンダと、先端にはピンを後端には押下げ部を設けたピストンとで構成した隔室の破裂具を、上記外筒の上端に取り付けた上、ピストンの押下げ部を押して先端のピンで外筒内の１液と２液とを充填した隔室を破裂させることにより、内筒のらせん状のスリットからその内部の頭髪を１液と２液とを混合した状態で染めることができるようにしたことを特徴とするメッシュ用毛染め具。【選択図】      図６
2006043434.tif 000002
【特許請求の範囲】
【請求項１】
一束の頭髪を帯体をらせん状に巻いて筒状に形成した内筒に収納し、染液の１液と２液とをそれぞれ別々の隔室に充填した上で上端内部に収納した外筒を内筒上にはめ込み、コイルバネを収納したフランジを有するシリンダと、先端にはピンを後端には押下げ部を設けたピストンとで構成した隔室の破裂具を、上記外筒の上端に取り付けた上、ピストンの押下げ部を押して先端のピンで外筒内の１液と２液とを充填した隔室を破裂させることにより、頭髪を１液と２液とを混合した状態で染めることができるようにしたことを特徴とするメッシュ用毛染め具。
【請求項２】
内筒と外筒とが端部にネジ部を形成され、ねじ込んで固定できるようにしたことを特徴とする請求項１に記載のメッシュ用毛染め具。
【請求項３】
内筒と外筒とがその間に吸湿層を形成され、染液が外に漏れないようにしたことを特徴とする請求項１または２に記載のメッシュ用毛染め具。
【請求項４】
ピストンがその先端にパッキングを取り付けられ、染液の逆流を防止するようにしたことを特徴とする請求項１ないし３のいずれかに記載のメッシュ用毛染め具。
【請求項５】
一束の頭髪を円板状の頭髪カバーに設けたスリットを通して引き出し、その上で内筒に収納できるようにしたことを特徴とする請求項１ないし４のいずれかに記載のメッシュ用毛染め具。
【発明の詳細な説明】
【技術分野】
【０００１】
この発明は、一般の家庭で頭髪をメッシュに染める際に使用されるメッシュ用毛染め具に関するものである。
【背景技術】
【０００２】
従来、一般家庭で一人で頭髪をメッシュに染める場合、染液を直接頭髪に振り掛けて塗りクシか指ですくようにしている。ところで、前記染液は脱色作用が有り、このため衣服、床、家具等に染液が飛び散っても良いように、例えば衣服の上にはケープを巻き付けてガードし、床等には新聞紙を敷き詰めるようにしている。また手指は染液が直接触れないようにビニール手袋を着用するなどして保護している。
さらに、頭皮以外で頭髪の生え際や耳等に染液が付着すると、はれ，かゆみといった皮膚の異常をきたす恐れが有ることから、直ぐに水に湿した脱脂綿で拭き取るようにしている。また、染液が付着しても落とし易いようにコールドクリームを予め塗っておくようにしている。これらのことから、コールドクリーム、脱脂綿、ティッシュペーパー及びタオル等細かい備品を数多く揃えて準備していた。
一方、一束の頭髪を円板状の頭髪カバーに設けたスリットを通して引き出し、その上で染液で処理する方法も従来知られている。
【特許文献１】特になし
【発明の開示】
【発明が解決しようとする課題】
【０００３】
しかしながら、前者の場合、上半身に衣服の上からケープをまとい、更に、床等には新聞紙を敷くなど面倒な手間が多く、しかもクシ，ビニール，手袋，該手袋用の輪ゴム，コールドクリーム，脱脂綿，ティッシュペーパー，タオル等多くの備品を取り揃えねばならず、大掛りになりこれらの管理にも余分な注意を払わねばならないといった課題があった。
また、後者の一束の頭髪を円板状の頭髪カバーに設けたスリットを通して引き出し、その上で染液で処理する方法においては、鏡を見ながら自分で一束の頭髪を染液で処理することになるが、後頭部が見えにくいために一束の頭髪から染液をしばしば円板状の頭髪カバーの外へ飛び散らかしたり、零したりして衣服に付着させたり床等に染液をこぼすことが考えられ極めて使いにくいという欠点があった。
【０００４】
そこで、この発明はかかる課題を解決すべくなされたもので、面倒な手間が掛からず家庭において一束の頭髪に染液を均一な量で、あるいは均一な配合割合で付着させることができ、しかも多くの備品も必要とせず極めて安価なメッシュ用毛染め具を提供することを目的とするものである。
【課題を解決するための手段】
【０００５】
すなわち、この発明に係るメッシュ用毛染め具は、一束の頭髪を帯体をらせん状に巻いて筒状に形成した内筒に収納し、染液の１液と２液とをそれぞれ別々の隔室に充填した上で上端内部に収納した外筒を内筒上にはめ込み、コイルバネを収納したフランジを有するシリンダと、先端にはピンを後端には押下げ部を設けたピストンとで構成した隔室の破裂具を、上記外筒の上端に取り付けた上、ピストンの押下げ部を押して先端のピンで外筒内の１液と２液とを充填した隔室を破裂させることにより、内筒のらせん状のスリットからその内部の頭髪を１液と２液とを混合した状態で染めることができるようにしたことを特徴とするものである。
【０００６】
この発明に係るメッシュ用毛染め具は、内筒と外筒とが端部にネジ部を形成され、ねじ込んで固定できるようにしたことをも特徴とするものである。
【０００７】
この発明に係るメッシュ用毛染め具は、内筒と外筒とがその間に吸湿層を形成され、染液が外に漏れないようにしたことをも特徴とするものである。
【０００８】
この発明に係るメッシュ用毛染め具は、ピストンがその先端にパッキングを取り付けられ、染液の逆流を防止するようにしたことをも特徴とするものである。
【０００９】
この発明に係るメッシュ用毛染め具は、一束の頭髪を円板状の頭髪カバーに設けたスリットを通して引き出し、その上で内筒に収納できるようにしたことをも特徴とするものである。
【発明の効果】
【００１０】
以上述べたように、この発明のメッシュ用毛染め具は、一束の頭髪を帯体をらせん状に巻いて筒状に形成した内筒に収納し、染液の１液と２液とをそれぞれ別々の隔室に充填した上で上端内部に収納した外筒を内筒上にはめ込み、コイルバネを収納したフランジを有するシリンダと、先端にはピンを後端には押下げ部を設けたピストンとで構成した隔室の破裂具を、上記外筒の上端に取り付けた上、ピストンの押下げ部を押して先端のピンで外筒内の１液と２液とを充填した隔室を破裂させることにより、頭髪を１液と２液とを混合した状態で染めることができるようにしたものである。
したがって、家庭において一束の頭髪に染液を均一な量で、あるいは均一な配合割合で付着させることができ、しかも多くの備品も必要とせず極めて安価なメッシュ用毛染め具を提供することが可能となった。
【００１１】
また、内筒と外筒とを複数用意しておけば、短い頭髪や長い頭髪等の長さの異なる頭髪にも簡単に適合させることができ、また適宜のカラーに頭髪を染めることが可能であるので、染液の配合量や配合割合等の難しい調整が不要となって、誰にでも簡単に頭髪をメッシュ状に、また所望のカラーに染めることができるようになった。
【発明を実施するための最良の形態】
【００１２】
以下、この発明に係るメッシュ用毛染め具の実施の形態を図面に基いて詳細に説明する。
図１はこの発明のメッシュ用毛染め具とともに使用される頭髪カバーの平面図、図２はこの発明のメッシュ用毛染め具を構成する内筒を示す斜視図、図３は内筒に外筒をはめ込んだ状態を示す概略断面図、図４は隔室の破裂具を示す概略図、図５は外筒に隔室の破裂具取り付ける状態を示す概略断面図、図６は隔室の破裂具を操作して外筒に取り付けた隔室を破裂させる状態を示す概略断面図である。
【００１３】
図１は、人体の頭部に部分的に被着され、一束の頭髪を他の頭髪から取り分ける手段を示している。すなわち、図１は一束の頭髪１を円板状の頭髪カバー２に設けた切込み３を通して引き出した状態を示すものである。該頭髪カバー２はポリ塩化ビニールやエチレンー酢ビコポリマー、ポリエチレン等の合成樹脂シート類により形成され柔軟性を有していることが望ましい。
【００１４】
図２は、上述のようにして取り分けた一束の頭髪１を、束ねておくための内筒４を示すもので、内筒４はプラスチックシート製の帯体をらせん状に巻いて筒状に形成することによって作成することができる。もちろん、予め筒状に形成したプラスチックチューブにらせん状の切込みを形成することによって作成することも可能である。いずれにしてもらせん状のスリット５を有している。
また内筒４の下端には、雄ネジ６が形成されている。
【００１５】
図３は、染液の１液と２液とをそれぞれ別々の隔室８，９に充填した上で上端内部に収納した外筒７を示している。この外筒７は内筒４上にはめ込み、その端部に設けた雌ネジ１０を内筒４の雄ネジ６にねじ込んで固定することにより、両者を一体化させることができる。また、隔室８，９は取り外し可能であり、各種染液を充填した隔室を使用用途に沿って詰め替えることができる詰め替え式隔室（例えば小袋）である。
２１は内筒４と外筒７との間に介在させた厚めの綿や高吸水性樹脂材料等の吸湿素材で、染液の染み出しを防止している。図では、内筒４の周囲にらせん状のスリット５を残して巻きつけた例を示している。
【００１６】
図４はシリンダ１２とピストン１３とで構成した隔室の破裂具１１を示すものである。すなわちシリンダ１２は、コイルバネ１４を収納するとともに、上端にフランジ１５を有するよう構成されている。またピストン１３は、先端にはピン１６を、また後端には押下げ部１７を設けて構成されている。
したがって、図４（ａ）のようにピストン１３をシリンダ１２にはめ込み、図４（ｂ）のようにフランジ１５と押下げ部１７を指で挟んで、ピストン１３をコイルバネ１４に抗してシリンダ１２内に押し込むと、ピン１６はシリンダ１２の下端から突き出るようになっている。
【００１７】
この発明のメッシュ用毛染め具の使用に際しては、図５に示すように、上記シリンダ１２とピストン１３とで構成した隔室の破裂具１１を、上記外筒７の上端に接合部分が密着して染液が漏れないよう取り付ける。その上で、図６に示すようにピストン１３の押下げ部１７を押して、先端のピン１６で外筒７内の１液と２液とを充填した隔室８，９を破裂させる。すると、隔室８，９内の１液と２液とが下方に放出されて混合し、内筒４のらせん状のスリット５からその内部の頭髪を１液と２液とを混合した状態で染めることができるのである。
【００１８】
上記隔室の破裂具１１を構成するピストン１３は、その下端にパッキング１８を取り付けられ、染液の逆流を防止するようになっている。したがって、染液が上記隔室の破裂具１１から漏洩することがなく、頭髪の他の部分や毛染め作業を行なっている手やその他の部位を汚すことがない。
【００１９】
このようにこの発明のメッシュ用毛染め具は、一束の頭髪１を帯体をらせん状に巻いて筒状に形成した内筒４に収納し、染液の１液と２液とをそれぞれ別々の隔室８，９に充填した上で上端内部に収納した外筒７を内筒上にはめ込み、コイルバネ１４を収納したフランジ１５を有するシリンダ１２と、先端にはピン１６を、また後端には押下げ部１７を設けたピストン１３とで構成した隔室の破裂具１１を、上記外筒７の上端に取り付けた上、ピストン１３の押下げ部１７を押して先端のピン１６で外筒７内の１液と２液とを充填した隔室８，９を破裂させることにより、内筒４のらせん状のスリット５からその内部の頭髪を１液と２液とを混合した状態で染めることができるようにしたものである。
したがって、家庭において一束の頭髪１に染液を均一な量で、あるいは均一な配合割合で付着させることができ、しかも多くの備品も必要とせず極めて安価なメッシュ用毛染め具を提供することが可能となった。
【００２０】
また、内筒と外筒とを複数用意しておけば、短い頭髪や長い頭髪等の長さの異なる頭髪にも簡単に適合させることができ、また適宜のカラーに頭髪を染めることが可能であるので、染液の配合量や配合割合等の難しい調整が不要となって、誰にでも簡単に頭髪をメッシュ状に、また所望のカラーに染めることができるようになった。
【００２１】
また、隔室の破裂具１１先端のピン１６を、隔室８，９を破裂させることができる程度の剛性を備えたブラシ状のものとしておけば、マスカラタイプの刷毛状のものとすることができ、隔室８，９を破裂させて外筒７の上部で１液と液とを混合して頭髪の適宜部位に塗ることができる。
【産業上の利用可能性】
【００２２】
以上のように構成された、この発明のメッシュ用毛染め具は、ヘアダイやヘアマニキュア、ヘナ、その他のいわゆるカラーリングと称する種々の染液の使用に対応することができる。
【図面の簡単な説明】
【００２３】
【図１】この発明のメッシュ用毛染め具とともに使用される頭髪カバーの平面図である。
【図２】この発明のメッシュ用毛染め具を構成する内筒を示す斜視図である。
【図３】内筒に外筒をはめ込んだ状態を示す概略断面図である。
【図４】隔室の破裂具を示す概略図である。
【図５】外筒に隔室の破裂具取り付ける状態を示す概略断面図である。
【図６】隔室の破裂具を操作して外筒に取り付けた隔室を破裂させる状態を示す概略断面図である。
【符号の説明】
【００２４】
１  一束の頭髪
２  頭髪カバー
３  切込み
４  内筒
５  らせん状のスリット
６  雄ネジ
７  外筒
８，９  隔室
１０  雌ネジ
１１  隔室の破裂具
１２  シリンダ
１３  ピストン
１４  コイルバネ
１５  フランジ
１６  ピン
１７  押下げ部
１８  パッキング
２１  吸湿素材
【図１】
2006043434.tif 000003
【図２】
2006043434.tif 000004
【図３】
2006043434.tif 000005
【図４】
2006043434.tif 000006
【図５】
2006043434.tif 000007
【図６】
2006043434.tif 000008